(57)【特許請求の範囲】
【請求項１】
遷移時間最短差動信号（ＴＭＤＳ）を搬送する、プリント配線板に設けられた１対のバストレースを含む制御インピーダンスバスと、
２又はそれ以上のバッファ出力端子と、
を備え、前記２又はそれ以上のバッファ出力端子の各々は、前記１対のバストレースに接続された１対のパッドを含み、個々のパッドは、未使用パッドが前記１対のバストレース上に最小限のスタブを形成するように構築され、
前記バストレースに対してプリント配線板上で垂直に延びる１対のコネクタトレースを各々が含む２又はそれ以上のバッファ入力端子と、
前記バッファ入力端子の１つの前記１対のコネクタトレースの第１の端部に接続された１対の接点を含む少なくとも１つのコネクタと、
前記バッファ入力端子の前記１つの前記１対のコネクタトレースの第２の端部及び前記バッファ出力端子の１つの前記１対のパッドに接続され、前記１対のバストレース上に前記ＴＭＤＳを供給する少なくとも１つのバッファ装置と、
をさらに備えることを特徴とするバスサブシステム。
【請求項２】
前記バッファ出力端子の各々に付随するイネーブル入力部をさらに備え、前記バッファ装置が前記イネーブル入力部にさらに接続され、前記バッファ装置が、前記イネーブル入力部により有効にされたときに前記１対のバストレース上に前記ＴＭＤＳを供給する、
ことを特徴とする請求項１に記載のバスサブシステム。
【請求項３】
前記１対のバストレースが、プリント配線板の第１の面上に経路を定めるマイクロストリップトレースであり、前記２又はそれ以上のバッファ出力端子の前記パッドの各々が、前記プリント配線板の第２の面上に存在してビアにより前記１対のバストレースの一方に接続される、
ことを特徴とする請求項１に記載のバスサブシステム。
【請求項４】
前記１対のバストレースが、プリント配線板の第１の面上に経路を定めるマイクロストリップトレースであり、前記２又はそれ以上のバッファ出力端子の前記パッドの各々が、前記１対のバストレースの一方の一部である、
ことを特徴とする請求項１に記載のバスサブシステム。
【請求項５】
前記バッファ装置が、４つの辺の各々に沿った接続部を提供する矩形の表面実装部品であり、前記バッファ出力端子の前記１対のパッドとの前記接続部が第１の辺に沿っており、この向かい側にある前記接続部が未使用である、
ことを特徴とする請求項４に記載のバスサブシステム。
【請求項６】
前記バッファ装置を前記プリント配線板の前記第１の面に熱的に結合する熱伝導電気絶縁体をさらに備える、
ことを特徴とする請求項４に記載のバスサブシステム。
【請求項７】
前記制御インピーダンスバス及び前記バッファ出力端子を含む第１のプリント配線板と、前記バッファ出力端子に接続された第２のプリント配線板とをさらに備え、前記第２のプリント配線板に厳密に１つのコネクタと厳密に１つのバッファ装置とが取り付けられる、
ことを特徴とする請求項４に記載のバスサブシステム。
【請求項８】
前記制御インピーダンスバスが不連続であり、前記バッファ装置が、４つの辺の各々に沿った接続部を提供する矩形の表面実装部品であり、前記バッファ出力端子の前記１対のパッドとの前記接続部が第１の辺に沿っており、この向かい側にある前記接続部が、前記第１の辺における前記接続部との連続性を提供し、前記バッファ装置が、前記制御インピーダンスバスに不連続部をまたいで接続される、
ことを特徴とする請求項４に記載のバスサブシステム。
【請求項９】
前記バッファ装置により前記１対のバストレース上に供給される前記信号が、前記１対のコネクタトレース上の信号のバッファリングした信号である、
ことを特徴とする請求項１に記載のバスサブシステム。
【請求項１０】
前記制御インピーダンスバスに接続された高品位マルチメディアインターフェイス（ＨＤＭＩ）受信機をさらに備え、前記コネクタがＨＤＭＩコネクタである、
ことを特徴とする請求項１に記載のバスサブシステム。
【請求項１１】
第１のプリント配線板上に設けられた、遷移時間最短差動信号（ＴＭＤＳ）を搬送する１対のバストレースを含む制御インピーダンスバスと、
２又はそれ以上のバッファ出力端子であって、各々が前記１対のバストレースに接続された１対のパッドを含み、個々のパッドは、未使用パッドが前記１対のバストレース上に最小限のスタブを形成するように構築されている、２又はそれ以上のバッファ出力端子と、
前記ＴＭＤＳをケーブルコネクタから受信するための１対の接点、及び前記１対の接点に接続されたバッファ装置、
前記第２のプリント配線板の第１の端部に存在するとともに、前記バッファ出力端子の一つを介して前記第１のプリント配線板の前記１対のバストレースに接続されて前記ＴＭＤＳを供給するバッファ装置、
を含む第２のプリント配線板上に設けられた少なくとも１つのコネクタアセンブリと、を含んでいることを特徴とするバスサブシステム。
【請求項１２】
前記第２のプリント配線板が、前記バッファ装置により供給される前記ＴＭＤＳを有効にする信号を受信するためのイネーブル入力部をさらに含む、
ことを特徴とする請求項１１に記載のバスサブシステム。
【請求項１３】
前記ケーブルコネクタを受け入れるためのシェルをさらに含み、該シェルが、前記１対の接点及び前記バッファ装置の少なくとも一部を取り囲む、
ことを特徴とする請求項１１に記載のバスサブシステム。
【請求項１４】
前記シェル及び前記１対の接点が、高品位マルチメディアインターフェイス（ＨＤＭＩ）コネクタの一部である、
ことを特徴とする請求項１３に記載のバスサブシステム。
【請求項１５】
前記バッファ装置が、第２の制御インピーダンスバスにより前記１対の接点に接続される、
ことを特徴とする請求項１１に記載のバスサブシステム。
【請求項１６】
プリント配線板を備えたコネクタアセンブリであって、該プリント配線板が、
ケーブルコネクタから遷移時間最短差動信号（ＴＭＤＳ）を受信するための１対の接点と、
前記１対の接点に接続されたバッファ装置と、
前記プリント配線板の第１の端部に位置するとともに前記バッファ装置に接続されて、制御インピーダンスバスに接続するために前記入力信号のバッファリングした出力信号を供給する１対の端子と、
を含むことを特徴とするコネクタアセンブリ。
【請求項１７】
前記プリント配線板が、前記バッファ装置により供給される前記ＴＭＤＳを有効にする信号を受信するためのイネーブル入力部をさらに含む、
ことを特徴とする請求項１６に記載のコネクタアセンブリ。
【請求項１８】
前記ケーブルコネクタを受け入れるためのシェルをさらに含み、該シェルが、前記１対の接点及び前記バッファ装置の少なくとも一部を取り囲む、
ことを特徴とする請求項１６に記載のコネクタアセンブリ。
【請求項１９】
前記シェル及び前記１対の接点が、高品位マルチメディアインターフェイス（ＨＤＭＩ）コネクタの一部である、
ことを特徴とする請求項１８に記載のコネクタアセンブリ。
【請求項２０】
前記バッファ装置が、第２の制御インピーダンスバスにより前記１対の接点に接続される、
ことを特徴とする請求項１６に記載のコネクタアセンブリ。
【発明の詳細な説明】
【技術分野】
【０００１】
本発明の実施形態は、超高速デジタル信号用バスの分野に関し、より具体的には、複数の高速コネクタの柔軟な配置を提供することに関する。
【背景技術】
【０００２】
現代のデジタルシステムは、相互接続を使用してますます高い周波数で信号を搬送している。たとえば、高品位マルチメディアインターフェイス（ＨＤＭＩ）及びデジタルビデオインターフェイス（ＤＶＩ）は、最高３．４Ｇｂｐｓのデータ転送速度で信号を搬送するケーブルを使用する。
【０００３】
これらの高速チャネル上で搬送されるオーディオビジュアル（ＡＶ）データは、遷移時間最短差動信号伝送方式（ＴＭＤＳ）と呼ばれる技術により符号化される。ＴＭＤＳは、信号品位を維持するために制御差動インピーダンスが１００Ωのペア信号線を使用する。データ転送速度が超高速であるため、データ経路の差動インピーダンスを維持するために、信号経路のあらゆる面を厳しい公差に従って慎重に設計及び構築しなければならない。
【０００４】
ＨＤＭＩ／ＤＶＩ規格では、４つの差動対がＴＭＤＳ信号を搬送する。ＤＶＩでは、これらの対のうちの３つが、ＲＧＢビデオデータ及び同期データの搬送に使用される。ＨＤＭＩでは、オーディオデータがビデオデータにもインタリーブされ、ＤＶＩ規格はオーディオ情報を組み込んでいない。第４の高速差動対はＡＶクロックに使用され、ＴＭＤＳデータチャネルの１／１０の速度で実行される。
【０００５】
ＨＤＭＩシグナリングを使用するコンポーネントの相互運用性を保証するために、製品が高品位マルチメディアインターフェイスへの適合性を主張し、又はいずれかの公認商標を要する場合、コンポーネントは、量産又は流通前にＨＤＭＩコンプライアンステスト仕様書に従ってこのような製品をテストするための、ＨＤＭＩファウンダーにより認定される認定試験センター（「ＡＴＣ」）におけるコンプライアンステストに無事に合格する必要がある。通常、このようなコンプライアンステストは、ディスプレイデータチャネル（ＤＤＣ）バス静電容量、ＴＭＤＳライン特性インピーダンス、及び家電制御（ＣＥＣ）バス静電容量を含む。
【０００６】
通常、ビデオディスプレイ装置などのＨＤＭＩコンポーネントは、表示用に選択できるオーディオビジュアルコンテンツのいくつかのソースに対応するために２以上のＨＤＭＩコネクタを備える。コンポーネントとは、基本機能の共通コアを共有しながら異なるレベルの能力を提供する一群の装置の要素であると考えることができる。提供されるＨＤＭＩコネクタの数が、このような可変能力となり得る。
【発明の概要】
【発明が解決しようとする課題】
【０００７】
装置に可変数の高速コネクタを提供できるシステムを、全ての構成が時間のかかるコンプライアンステストを受ける必要なく提供することが望ましいであろう。このようなシステムは製造コストが安いことが望ましいであろう。
【課題を解決するための手段】
【０００８】
制御インピーダンスバスが、遷移時間最短差動信号伝送方式（ＴＭＤＳ）を使用して信号を搬送する１対のバストレースを含む。２又はそれ以上のバッファ出力端子も含む。個々の出力端子は、１対のバストレースに接続された１対のパッドを含み、未使用パッドが１対のバストレース上に最小限のスタブを形成するようにされる。２又はそれ以上のバッファ入力端子が設けられる。バッファ入力端子の各々は、バストレースに対して実質的に垂直に延びる１対のコネクタトレースを含む。バッファ入力端子の１つの１対のコネクタトレースの第１の端部に少なくとも１つのコネクタが接続される。１対のコネクタトレースの第２の端部、及びバッファ出力端子の１つの１対のパッドに少なくとも１つのバッファ装置が接続される。バッファ装置は、イネーブル入力により有効化されると、１対のバストレース上に信号を供給する。
【０００９】
添付図面及び以下の詳細な説明から本発明のその他の特長及び利点が明らかとなるであろう。
【００１０】
本発明の様々な実施形態を限定ではなく一例として示すために使用する以下の説明及び添付図面を参照することにより、本発明を最も良く理解することができる。図面では、同様の参照番号が類似の要素を示す。
【図面の簡単な説明】
【００１１】
【図１Ａ】本発明を具体化するバスサブシステムの平面図である。
【図１Ｂ】図１Ａのバスサブシステムの拡大部分を示す図である。
【図２Ａ】本発明を具体化する別のバスサブシステムの平面図である。
【図２Ｂ】図２Ａのバスサブシステムの拡大部分を示す図である。
【図３】本発明を具体化する別のバスサブシステムの平面図である。
【図４】本発明を具体化する別のバスサブシステムの平面図である。
【図５】本発明を具体化する別のバスサブシステムの平面図である。
【発明を実施するための形態】
【００１２】
本開示の１つの態様は、バッファチップを含むコネクタサブアセンブリを使用して外部接続をシステムの残りから分離するシステムアーキテクチャに関する。１つの実施形態では、高品位マルチメディアインターフェイス（ＨＤＭＩ）コネクタサブアセンブリが、コンプライアンステストを必要とするシステムの多く又は全てを含む。いくつかの実施形態では、ＨＤＭＩバッファチップを組み込むことにより、信号減衰を軽減できるとともにＨＤＭＩ関連のコンプライアンステスト要件を満たす役に立つことができる。
【００１３】
本発明の別の態様は、可変数のコネクタサブアセンブリを同じメインアセンブリに接続できるようにして、共通コンポーネントから一群の装置を構築できるようにするバス構造を提供することである。
【００１４】
以下の説明では、数多くの特定の詳細を記載する。しかしながら、これらの特定の詳細を伴わずに本発明の実施形態を実施できることが理解される。その他の場合、本説明の理解を曖昧にしないように、公知の回路、構造、及び技術については詳細に示していない。
【００１５】
本明細書で使用する場合、「１つの（英文不定冠詞）」という用語は、１又はそれ以上を意味するものとする。「複数の」という用語は、２又はそれ以上を意味するものとする。「別の」という用語は、第２の又はそれ以上の、と定義される。「含む（ｉｎｃｌｕｄｉｎｇ）」及び／又は「有する（ｈａｖｉｎｇ）」という用語は、（「からなる（ｃｏｍｐｒｉｓｉｎｇ）」のような）包括的な用語であると定義される。本明細書で使用する場合、「又は」という用語は包括的なものとして解釈すべきであり、すなわちいずれか１つ又はあらゆる組合せを意味する。従って、「Ａ、Ｂ又はＣ」は「Ａ、Ｂ、Ｃ、Ａ及びＢ、Ａ及びＣ、Ｂ及びＣ、Ａ、Ｂ及びＣのいずれか」を意味する。この定義に対する例外は、要素、機能、ステップ又は行為の組合せが何らかの形で本質的に互いに相容れない場合にのみ生じる。
【００１６】
本明細書を通じて、「１つの実施形態」、「いくつかの実施形態」、「ある実施形態」、又は類似の用語に対する言及は、実施形態に関連して説明する特定の機能、構造又は特性が、本発明の少なくとも１つの実施形態に含まれることを意味する。従って、本明細書を通じて至るところに出現するこのような語句は、必ずしも全てが同じ実施形態について言及しているものではない。さらに、本発明を限定しない１又はそれ以上の実施形態に上記特定の特徴、構造又は特性をあらゆる好適な態様で組み込むことができる。
【００１７】
例示的な実施形態
図１Ａは、本発明の原理に基づいて構成されるバスサブシステム１００を示している。図１Ｂは、図１Ａのバスサブシステムの一部の拡大図である。図示の例示的なバスサブシステムは、デジタル形式のオーディオビジュアルプログラミングを受信するための１又はそれ以上のＨＤＭＩコネクタ１０２を備えたオーディオビジュアルシステムの一部である。
【００１８】
バスサブシステム１００は、ＨＤＭＩ受信機などの受信装置１０６に１又はそれ以上のコネクタ１０２を結合するための制御インピーダンスバス１０４を備える。制御インピーダンスバス１０４は、遷移時間最短差動信号伝送方式（ＴＭＤＳ）を使用して高速デジタル信号を搬送する１対のバストレース１０８ａ、１０８ｂを含む。例示的な高速デジタル信号には、データ転送速度がギガビット／秒（Ｇｂｐｓ）のＨＤＭＩデータ信号がある。制御インピーダンスバス１０４は数対のバストレースを含むことができ、個々の対は高速デジタルＴＭＤＳ信号を搬送する。たとえば、図示の例示的なバスサブシステム１００では、制御インピーダンスバス１０４が、ＨＤＭＩリンク用の高速信号を送信するための４対のバストレースを含む。
【００１９】
制御インピーダンスバス１０４は、２又はそれ以上のバッファ出力端子１１０を含み、バッファ出力端子の各々は、１対のバストレース１０８ａ、１０８ｂに接続された１対のパッド１１２ａ、１１２ｂを含む。個々のパッドは、未使用パッドが１対のバストレース上に最小限のスタブを形成するように構成することができ、制御インピーダンスバス１０４上で高速信号が搬送されるため、このことは重要事項である。
【００２０】
制御インピーダンスバス１０４は、２又はそれ以上のバッファ入力端子１２０を含む。バッファ入力端子の各々は、バストレース１０８ａ、１０８ｂに対して実質的に垂直に延びる１対のコネクタトレース１２２ａ、１２２ｂを含む。
【００２１】
バスサブシステム１００は、高速デジタル信号を受信するための少なくとも１つのコネクタ１０２を備える。このコネクタは、高速デジタルＴＭＤＳ信号を受信するための１対の接点１１４ａ、１１４ｂを含む。接点１１４ａ、１１４ｂは、バッファ入力端子１２０の１つの１対のコネクタトレース１２２ａ、１２２ｂの第１の端部に接続される。コネクタは、接続ケーブルとの制御インピーダンスリンクを形成するための接地接点を含むことができる。図示の例示的なコネクタ１０２はＨＤＭＩコネクタであり、外部シェルの一部を切り取って外部シェル内の接点を示している。
【００２２】
コネクタ１０２の反対側にある１対のコネクタトレース１２２ａ、１２２ｂの第２の端部にはバッファ装置１３０が接続される。バッファ装置１３０は、関連するバッファ出力端子１１０の１対のパッド１１２ａ、１１２ｂにさらに接続される。バッファ装置は、１対のバストレース１０８ａ、１０８ｂ上に高速デジタルＴＭＤＳ信号を供給する。この信号は、１対のコネクタトレース上の信号であってもよく、又は１対のコネクタトレース上の信号のバッファリングしたレプリカであってもよい。
【００２３】
入力端子がバッファ装置１３０を実装しないときには、入力端子１２０がバストレースに接続されないということが重要である。この構造により、バスサブシステム１００が可変数のコネクタ１０２を備えることができるようになる。コネクタが提供されていないときには、関連する入力端子１２０及び出力端子１１０はバッファ装置１３０を実装しない。制御インピーダンスバス１０４の１対のバストレース１０８ａ、１０８ｂ上には、出力端子１１０の未実装のパッド１１２ａのみが残る。未実装のパッド１１２ａ、１１２ｂは、１対のバストレース上の最小限のスタブとなるように構築され、これによりコネクタの補完物が減少したことに起因する制御インピーダンスバス１０４上の信号劣化が最小限に抑えられる。さらに、バッファ装置１３０は、ＨＤＭＩコンプライアンステスト仕様書との準拠に関する試験などの認証を必要とするコンポーネントを制御インピーダンスバス１０４及びシステムの残りの部分から分離する。これにより、個々の構成の完全な認証を必要とせずにシステムを可変数のコネクタで構成できるように設計することが可能となる。
【００２４】
バッファ出力端子１１０の各々にはイネーブル入力部１３２が付随する。バッファ装置１３０はイネーブル入力部に接続されて、イネーブル入力部により有効にされたときに、１対のバストレース上に信号を供給する。図１Ａに示すように、イネーブル入力部１３２は、個々のバッファ出力端子１１０に付随する離散的信号であってもよい。他の実施形態では、イネーブル入力部１３２は、設けられた全てのバッファ出力端子１１０に接続される信号線の１つに提供される符号化信号であってもよい。たとえば、イネーブル入力部をインターインテグレーテッドサーキット（Ｉ2Ｃ）シリアルバス上に設けることができる。
【００２５】
高速ＴＭＤＳ差動信号がうまくルーティングされることが、複合システムの設計課題である。これらの細かく調整された伝送線にＥＳＤ保護用のほんのわずかな寄生負荷を追加することでさえ、コンプライアンステストの合否の分かれ目になり得ることが多い。結果として生じる伝送線特性及びインピーダンス整合は、単なるコンポーネントレベルの仕様から容易に予測できるものではなく、実際、直観に反した結果が観察されることがある。たとえば、場合によっては、わずかなインダクタンス又はスタブを追加することにより、線の特性インピーダンスを実際に向上させることができる。
【００２６】
本発明は、システムの厳しいコンプライアンステストを受ける部分、つまりコネクタをシステムの残り部分から分離する。様々な接続装置及び接続ケーブルに対応する必要性により、適合するコネクタを設計することは複雑になる。これには、コネクタ及び関連する接続部が、接続装置に提供される電気特性のための厳しい公差を満たすことが必要となる。本発明は、適合性要件をコネクタ１０２、バッファ装置１３０、及び相互接続コネクタトレース１２２ａ、１２２ｂに限定する。これにより、複雑性及びコストをシステムの残り部分に課すことなく、個々のコネクタサブシステムを厳しい公差に合わせて設計及び作成できるようになる。
【００２７】
制御インピーダンスバス１０４もまた複合システムの設計課題である。本発明は、コネクタから制御インピーダンスバスをさらに分離することにより、バスがコネクタに求められる厳しいコンプライアンステストを受けないようにする。この分離により、制御インピーダンスバスの設計が公知の制御された要件にも従うようになる。コネクタに求められる厳しいコンプライアンステストに合格できる可変数のコネクタをバス上に存在できるようにする制御インピーダンスバス１０４を設計することは困難と思われるが、バッファ装置１３０をバッファ出力端子に接続するための限られた数の構成で既知の数のバッファ出力端子１１０を受信装置１０６に接続するようにバスを設計する方がより実際的である。
【００２８】
図１Ａに示すように、１対のバストレース１０８ａ、１０８ｂは、プリント配線板１３４の第１の面上に経路を定めるマイクロストリップトレースであってもよい。図１Ａでは、１対のバストレースを破線で描くことによって示唆するように、プリント配線板の第１の面は底面側となる。２又はそれ以上のバッファ出力端子１１０のパッド１１２ａ、１１２ｂの各々は、プリント配線板１３４の第２の面上に存在して、ビアにより１対のバストレース１０８ａ、１０８ｂの一方に接続される。この構成により、１対のバストレースに接続されたパッド１１２ａ、１１２ｂを、未使用パッドが１対のバストレース上に最小限のスタブを形成するように構築できるようになる。
【００２９】
図２Ａは、本発明の原理に基づいて構成される別のバスサブシステム２００を示している。図２Ｂは、図２Ａのバスサブシステムの一部の拡大図である。この実施形態では、１対のバストレース２０８ａ、２０８ｂは、プリント配線板２３４の第１の面上に経路を定めるマイクロストリップトレースであり、２又はそれ以上のバッファ出力端子のパッドの各々は、１対のバストレースの一方の一部である。この実施形態では、１対のバストレースを実線で描くことによって示唆するように、プリント配線板の第１の面は表面側となる。
【００３０】
図示のように、バッファ装置１３０は、４つの辺の各々に沿った接続部を提供する矩形の表面実装部品であることができる。バッファ出力端子の１対のパッド２１２ａ、２１２ｂとの接続部は、第１の辺２３６に沿ったものであることができる。向かい合う辺２３８上の接続部は未使用であってもよく、これらをバストレース２０８ａ、２０８ｂに接続することができる。
【００３１】
バッファ装置１３０は、バッファ装置からの熱伝導を最適化するための熱スラグを含むことができる。熱伝導電気絶縁体２４０が、バッファ装置の熱スラグをプリント配線板２３４の第１の面に熱的に結合することができる。これにより、バストレース２０８ａ、２０８ｂ間に電気的短絡を形成することなく放熱を向上させることができるようになる。例示的な熱伝導電気絶縁体は、熱伝導エポキシペーストであってもよい。
【００３２】
バッファ装置１３０及び熱伝導電気絶縁体２４０は、空気よりも高い誘電率を有することができる。これにより、バストレース２０８ａ、２０８ｂがバッファ装置１３０の下を通過する際にインピーダンスが下がる。バストレース構造は、バッファ装置を設置できる部分で高インピーダンスを提供してバッファ装置の設置効果を減少させるように調整することができる。
【００３３】
図３は、本発明の原理に基づいて構成される別のバスサブシステム３００を示している。この実施形態では、第１のプリント配線板３３４が、制御インピーダンスバス３０４及びバッファ出力端子３１０を含む。第２のプリント配線板３３６は、第２のプリント配線板に取り付けられた１つのコネクタ１０２及び１つのバッファ装置３３０を含む。第２のプリント配線板３３６は、バッファ出力端子３１０に接続される。図示のように、制御インピーダンスバス３０４を蛇行形態で構築して、第２のプリント配線板３３６のバッファ出力端子３１０への接続を容易にすることができる。コネクタ１０２及びバッファ装置３３０を支持するために第２のプリント配線板を使用することにより、矩形の表面実装バッファ装置を制御インピーダンスバス３０４により容易に接続できるようになる。第２のプリント配線板を使用することにより、装置の厳しいコンプライアンステストを受ける部分により高価な精密公差のプリント配線板を使用できる一方で、装置の残り部分ではより安価なプリント配線板を使用できるようになる。１つの第１のプリント配線板３３４に様々な数の第２のプリント配線板３３６を取り付けて、様々な数のコネクタを有するバスサブシステム３００の構成を実現することができる。
【００３４】
図４は、本発明の原理に基づいて構成される別のバスサブシステム４００を示している。この実施形態では、前述の実施形態と同様に、制御インピーダンスバス４０４が第１のプリント配線板４３４上に設けられる。コネクタアセンブリ４０２Ａ、４０２ＢがケーブルコネクタからＴＭＤＳを受信し、第１のプリント配線板４３４上の制御インピーダンスバス４０４内の１対のバストレース４０８Ａ、４０８Ｂに接続されて制御インピーダンスバスにＴＭＤＳを供給する。ケーブルコネクタを受け入れて機械的支持を提供するシェル４４２によってコネクタアセンブリ４０２Ａ、４０２Ｂを取り囲むことができる。コネクタアセンブリのシェル４４２を切り取って内部コンポーネントを示している右手のコネクタアセンブリ４０２Ｂの図でわかるように、コネクタアセンブリは、ケーブルコネクタからＴＭＤＳを受信するための１対の接点４１４Ａ、４１４Ｂを含む第２のプリント配線板４３６を備える。シェル４４２は、１対の接点４１４Ａ、４１４Ｂ及びバッファ装置４３０の少なくとも一部を取り囲むことができる。シェル４４２及び１対の接点４１４Ａ、４１４Ｂは、高品位マルチメディアインターフェイス（ＨＤＭＩ）コネクタの一部であることができる。
【００３５】
第２のプリント配線板４３６に取り付けられたバッファ装置４３０は、第２の制御インピーダンスバスにより１対の接点４１４Ａ、４１４Ｂに接続されて、この１対の接点からＴＭＤＳを受信する。バッファ装置４３０は、第２のプリント配線板の第１の端部４４６に位置する１対の端子４４４Ａ、４４４Ｂにさらに接続される。第２のプリント配線板４３６の１対の端子４４４Ａ、４４４Ｂは、第１のプリント配線板４３４の１対のバストレース４０８Ａ、４０８Ｂに接続されて、ＴＭＤＳ又はＴＭＤＳのバッファリングしたレプリカを供給する。第２のプリント配線板は、バッファ装置により供給されたＴＭＤＳを有効にする信号を受信するためのイネーブル入力部をさらに含む。
【００３６】
バッファ装置４３０をコネクタ接点４１４Ａ、４１４Ｂと一体化することにより、ＨＤＭＩコンプライアンステスト仕様書に準拠するコスト効率の高いＨＤＭＩコネクタ４０２Ａ、４０２Ｂの設計が可能になる。この結果、準拠するＨＤＭＩコネクタを使用して様々なＨＤＭＩ受信機装置を設計し、装置全体がＨＤＭＩコンプライアンステストを必要としないようにすることができる。準拠するＨＤＭＩコネクタ４０２Ａ、４０２Ｂを制御インピーダンスバス４０４と組み合わせることにより、様々な数のＨＤＭＩコネクタを含むように容易に構成できるＨＤＭＩ受信機装置の設計がさらに可能になる。バッファ装置４３０をコネクタ接点４１４Ａ、４１４Ｂと一体化することにより、プリント配線板の面積が最小化されるとともに、必要な同一のアセンブリ数が最大化されるため、厳しい公差で構築される高級プリント配線板を高いコスト効率で使用できるようになる。図４に示すように、第２のプリント配線板が第１のプリント配線板に平行でなく直角に接続されるようにコネクタアセンブリを構成することができる。これにより、制御インピーダンスバスが蛇行ではなく真っ直ぐになることができる。
【００３７】
図５は、本発明の原理に基づいて構成される別のバスサブシステム５００を示している。この実施形態では、制御インピーダンスバス５０４が、バッファ装置５３０をバスに接続できる領域において１対のバストレース５０８ａ、５０８ｂが不連続となったいくつかのセグメントから構成される。バッファ装置５３０は、装置の第１の辺５３６上にバッファ出力端子を有する。バッファ装置５３０は、コネクタ１０２をバス５０４に選択的に結合する。バッファ装置５３０は、装置の第１の辺５３６上のバッファ出力端子から第１の辺の向かい側にある装置の第２の辺５３８上の対応するバス端子まで、バストレース５０８ａ、５０８ｂの連続する制御インピーダンスをさらに提供する。
【００３８】
バッファ装置５３０は、バスから信号を受信する受信装置１０６に最も近い位置から開始する制御インピーダンスバス５０４上に実装される。バス５０４にさらなるバッファ装置を追加して、設けられるコネクタ１０２の数に必要な分だけバスの長さを延ばすことができる。受信装置１０６から最も離れたバッファ装置５３０から別のバッファ装置を実装していない位置まで延びるバス５０５のセグメントが存在し得ることが理解されよう。未実装の位置に抵抗性終端部５１０を設けて、バストレース５０８ａ、５０８ｂ上における高速信号の反射を低減させることができる。
【００３９】
プリント配線板５３４は、バス５０４の不連続な部分に熱パッド５１２を備えることができる。バッファ装置５３０上の熱スラグ５４０に熱パッド５１２を半田付けして、バッファ装置からプリント配線板５３４への熱伝導を促進することができる。熱パッド５１２をビアを介してプリント配線板５３４の接地板に接続し、熱伝導をさらに向上させることができる。
【００４０】
いくつかの例示的な実施形態について説明するとともに添付図面に示したが、このような実施形態は、広範な本発明の例示的なものにすぎず限定的なものではないということ、及び当業者には他の様々な修正が想定されると考えられるので、本発明は、図示及び説明した特定の構造及び構成に限定されるものではないということを理解されたい。従って、この説明は限定的なものではなく例示的なものであると見なすべきである。
【図１Ａ】
0005519626.tif 000002
【図１Ｂ】
0005519626.tif 000003
【図２Ａ】
0005519626.tif 000004
【図２Ｂ】
0005519626.tif 000005
【図３】
0005519626.tif 000006
【図４】
0005519626.tif 000007
【図５】
0005519626.tif 000008